(57)【要約】      （修正有）【課題】横押し方式でカッタ種類を変換でき、且つ変換後に選択したカッタを固定でき、変換、操作に便利で楽に操作できるカッティングツールの提供。【解決手段】主体、置換部、固定フレーム及び少なくとも二つのツールセットを具え、該ツールセットが固定フレーム中に置かれ、各ツールセットにカッタが固定され、該カッタのタイプは相互に同じでなく、多種類のカッティングモードを提供するのに用いられ、該置換部は主体外縁に組みつけられ、且つ固定フレームに係合されて協動関係を形成し、置換部の位置の変換により固定フレームが移動を発生し、主体内部に設けられた圧接部がツールセット上端に圧接して強制的にカッタを主体外に露出させて片状物に対する裁断を行なう。【選択図】図３
0003111448.tif 000002
【実用新案登録請求の範囲】
【請求項１】
カッティングツールにおいて、該カッティングツールはカッティングプラットフォームに組みつけられて片状物に対する裁断に用いられ、それは、
主体であり、該カッティングプラットフォームの上に載置され並びにその上でスライド可能で、内部にカッタの主体外の露出を制御する圧接部が設けられた、上記主体と、
置換部であり、該主体の外泡に組みつけられ且つ該主体の内部の固定フレームとの間に連動関係を有する、上記置換部と、
固定フレームであり、複数の縦向き溝が設けられ、各縦向き溝がツールセットの収容に供される、上記固定フレームと、
少なくとも二種類のツールセットであり、異なるカッタに接続され、上端に縦向き溝より大きく且つ円弧状辺縁を具えたキャップ縁が凸設され、該キャップ縁と固定フレーム上端の間にバネが嵌合されて各ツールセットの縦向き溝中での回復力を提供する、上記少なくとも二種類のツールセットと、
を具え、置換部の位置の変換に連動して固定フレームが移動し、ツールセットの上端が移動に伴い圧接部に圧接され、カッタが主体外に露出して片状物に対する裁断を行なうことを特徴とする、カッティングツール。
【請求項２】
請求項１記載のカッティングツールにおいて、主体は二つの同じ形状のケースが組み合わされてなり、該主体に上段と下段の二つの部分が設けられ、該上段の幅は下段の幅より狭いことを特徴とする、カッティングツール。
【請求項３】
請求項２記載のカッティングツールにおいて、主体の上段の所定位置に滑り溝が設けられ、該滑り溝の各カッタに対応する位置に孔が凸設されたことを特徴とする、カッティングツール。
【請求項４】
請求項２記載のカッティングツールにおいて、主体の下段の底部にカッタ出入孔が設けられ、並びに該カッタ出入孔に接近する両側に軌道が凸設されたことを特徴とする、カッティングツール。
【請求項５】
請求項２記載のカッティングツールにおいて、主体の上段の上端面の各カッタに対応する位置にカッタ形状に対応するマークが印刷されたことを特徴とする、カッティングツール。
【請求項６】
請求項１又は請求項５記載のカッティングツールにおいて、置換部が二つの同じ形状のケースで構成されて主体の上段外側に組みつけられ、上端に開口が設けられ、該開口が二つのケースの組合せ後にウインドウを構成し、該ウインドウを通して選択されたカッタのマークがみえることを特徴とする、カッティングツール。
【請求項７】
請求項１又は請求項３記載のカッティングツールにおいて、置換部に係止凸点を具えた挟持部が凸設され、該挟持部が滑り溝を通り固定フレームに固定され、且つ該係止凸点が滑り溝の孔に組み合わされてカッタ変換動作完成の係止点とされることを特徴とする、カッティングツール。
【請求項８】
請求項１又は請求項４記載のカッティングツールにおいて、固定フレームが二つの同じ形状のケースが組み合わされてなり、このケースの一側にツールセットを内部に収容する少なくとも二つの縦向き溝が設けられてツールセットの縦向き移動のチャネルを提供し、もう一側に二層の対応するガイドブロックが凸設されて主体の下段に設けられた軌道に組み合わされてツールセットを左右に平穏に横移動させることを特徴とする、カッティングツール。
【請求項９】
請求項１のカッティングツールにおいて、ツールセットが回転ツールセットと固定ツールセットを具えたことを特徴とする、カッティングツール。
【請求項１０】
請求項１のカッティングツールにおいて、ツールセットが回転ツールセットと二つの固定ツールセットを具えたことを特徴とする、カッティングツール。
【請求項１１】
請求項１０のカッティングツールにおいて、回転ツールセットが二つの側板を具え、そのうち一つの側板に二つの穿孔が設けられ、もう一組の側板に対応する凸柱が設けられ、そのうち下方の凸柱に軸輪が嵌合され、該軸輪がカッタの中央穿孔に固定されて一体とされ、下方の凸柱を軸心としてカッタが主体のスライドに伴い回転することを特徴とする、カッティングツール。
【請求項１２】
請求項１０のカッティングツールにおいて、回転ツールセットに円弧カッタが組みつけられたことを特徴とする、カッティングツール。
【請求項１３】
請求項１０のカッティングツールにおいて、固定ツールセットの側辺に凹部が設けられ、該凹部中に凸柱が凸設さされ、それに接続されるカッタに穿孔が設けられて該凸柱に係合され、並びに該凹部の形状に対応する押し片が利用されカッタが凹部中に固定されたことを特徴とする、カッティングツール。
【請求項１４】
請求項１３のカッティングツールにおいて、固定ツールセットに切削カッタ或いはプレス痕片が組みつけられたことを特徴とする、カッティングツール。
【請求項１５】
請求項１のカッティングツールにおいて、片状物が紙とされたことを特徴とする、カッティングツール。
【考案の詳細な説明】
【技術分野】
【０００１】
本考案は一種のカッティングツールの構造に係り、特に、紙等の片状物の裁断に応用され、且つ多用なカッティングモードを具えたツール切り換え構造に関する。
【背景技術】
【０００２】
現在常用されているカッティング装置は僅かに一つのカッタを具えた単一カッティングモードとされ、通常は直線の切削モードとされ、使用者の多変の切削モード、例えば点線切削、紙に対するプレス痕、円弧線切削の要求を満足させられず、一つのカッティングモードに対応してカッティング装置を購入しなければならず、使用上理想的でなく且つ金銭を浪費する。
【０００３】
上述の欠点に対して、特許文献１のカッティング装置が提供され、それに記載の実施例の図４及び明細書によると、該カッティング装置１０のロータ１１に設けられた傾斜構造１１１、第２傾斜構造１３、第３傾斜構造１１３が、カッタ１２、第２カッタ１３、第３カッタ１４に対応し、ロータ１１が使用者の外力を受けて回転して所定の回転角度に至る時、該第２傾斜構造１１２或いは第３傾斜構造１１３が第２カッタ１３或いは第３カッタ１４を下向きに押圧して片状物に接触させ、同様に、使用者のロータ１１に対する回転外力が消失する時、ねじりバネ１５の回復力によりロータ１１が回転して開始位置に戻り、弾性片構造１３１、１４１がそれぞれ第２カッタ１３或いは第３カッタ１４に上向き移動の回復力を提供する。
【０００４】
この従来の技術は、回転の方式によりカッタモードを変換して多機能の裁断の目的を達成するが、その設計は以下のような使用上の不便を形成する。
１．カッタ１２、１３、１４を片状物に接触させるために使用者は外力をロータ１１に加えなければならず、言い換えると、切削の過程で、使用者は不断に外力を加えてカッタ１２、１３、１４の外部の露出を維持させなければならず、この外力はねじりバネ１５の回復力より大きくなければならず、使用者に対して、大量に裁断する時、特に女性の使用者に対して非常に不便で使用者の手の筋力を必要とする。
２．ロータ１１が使用者の外力を受けて所定の回転角度に至る時、第２傾斜構造１１２或いは第３傾斜構造１１３はそれぞれ第２カッタ１３或いは第３カッタ１４を下向きに押圧して片状物に接触させる。この回転動作は実際には中央のカッタ１２が先ず傾斜構造１１１の押圧を受けて露出させられ、使用者が続けて回転させることで、カッタ１３が傾斜構造１１１の頂点を通過してもう一側の傾斜に至り内縮し、これと同時に両側の第２カッタ１３或いは第３カッタ１４が第２或いは第３傾斜構造１１２、１１３に押圧（回転の方向により定まる）されて露出し、これにより中央のカッタ１２と両側の第２、第３カッタ１３、１４同一回転動作にあって同時に作動する。しかしカッタに対する係止構造がなく、どのカッタの固定も使用者の手により制御され、且つ使用者はどの角度に回転させれば使用したいカッタ種類に対応させられるかを判断できず、裁断の結果が使用者の予期したものとならないことがあり、裁断の過程で、不注意からロータ１１が傾斜構造１１１、１１２、１１３を移動させると、順調に裁断を完成できなくなる。
【０００５】
ゆえに、本考案は伝統的なカッティング装置が僅かに一種類のカッタしか具備せず、裁断の要求を満足させられず、また全行程で回転外力を加えなければならず、カッタを固定できず、二種類のカッタが同時に作動する欠点に対して改良を行なった。
【０００６】
【特許文献１】台湾特許第２２１１１１号明細書
【考案の開示】
【考案が解決しようとする課題】
【０００７】
本考案の主要な目的は、一種のカッティングツールを提供することにあり、それは、横押し方式でカッタ種類を変換でき、且つ変換後に選択したカッタを固定でき、変換、操作に便利で楽に操作できるカッティングツールであるものとする。
【０００８】
前述したように、本考案は、主体、置換部、固定フレーム及び少なくとも二つのツールセットを具え、該ツールセットが固定フレーム中に置かれ、各ツールセットにカッタが固定され、該カッタのタイプは相互に同じでなく、多種類のカッティングモードを提供するのに用いられ、該置換部は主体外縁に組みつけられ、且つ固定フレームに係合されて協動関係を形成し、置換部の位置の変換により固定フレームが移動を発生し、主体内部に設けられた圧接部がツールセット上端に圧接して強制的にカッタを主体外に露出させて片状物に対する裁断を行なう。
【０００９】
前述したことにより、各ツールセットに弾性装置が嵌合されてツールセット変換後にツールセットにもとの位置に回復する力を提供する。
【００１０】
本考案のもう一つの目的は、一種のカッティングツールを提供することにあり、それは、主体のケースの各カッタに対応する位置に、カッタ形状に対応するマークが印刷され、該置換部のケースにウインドウが設けられ、該ウインドウより裁断するのに選択されたカッタタイプを知ることができるものとする。
【課題を解決するための手段】
【００１１】
請求項１の考案は、カッティングツールにおいて、該カッティングツールはカッティングプラットフォームに組みつけられて片状物に対する裁断に用いられ、それは、
主体であり、該カッティングプラットフォームの上に載置され並びにその上でスライド可能で、内部にカッタの主体外の露出を制御する圧接部が設けられた、上記主体と、
置換部であり、該主体の外泡に組みつけられ且つ該主体の内部の固定フレームとの間に連動関係を有する、上記置換部と、
固定フレームであり、複数の縦向き溝が設けられ、各縦向き溝がツールセットの収容に供される、上記固定フレームと、
少なくとも二種類のツールセットであり、異なるカッタに接続され、上端に縦向き溝より大きく且つ円弧状辺縁を具えたキャップ縁が凸設され、該キャップ縁と固定フレーム上端の間にバネが嵌合されて各ツールセットの縦向き溝中での回復力を提供する、上記少なくとも二種類のツールセットと、
を具え、置換部の位置の変換に連動して固定フレームが移動し、ツールセットの上端が移動に伴い圧接部に圧接され、カッタが主体外に露出して片状物に対する裁断を行なうことを特徴とする、カッティングツールとしている。
請求項２の考案は、請求項１記載のカッティングツールにおいて、主体は二つの同じ形状のケースが組み合わされてなり、該主体に上段と下段の二つの部分が設けられ、該上段の幅は下段の幅より狭いことを特徴とする、カッティングツールとしている。
請求項３の考案は、請求項２記載のカッティングツールにおいて、主体の上段の所定位置に滑り溝が設けられ、該滑り溝の各カッタに対応する位置に孔が凸設されたことを特徴とする、カッティングツールとしている。
請求項４の考案は、請求項２記載のカッティングツールにおいて、主体の下段の底部にカッタ出入孔が設けられ、並びに該カッタ出入孔に接近する両側に軌道が凸設されたことを特徴とする、カッティングツールとしている。
請求項５の考案は、請求項２記載のカッティングツールにおいて、主体の上段の上端面の各カッタに対応する位置にカッタ形状に対応するマークが印刷されたことを特徴とする、カッティングツールとしている。
請求項６の考案は、請求項１又は請求項５記載のカッティングツールにおいて、置換部が二つの同じ形状のケースで構成されて主体の上段外側に組みつけられ、上端に開口が設けられ、該開口が二つのケースの組合せ後にウインドウを構成し、該ウインドウを通して選択されたカッタのマークがみえることを特徴とする、カッティングツールとしている。
請求項７の考案は、請求項１又は請求項３記載のカッティングツールにおいて、置換部に係止凸点を具えた挟持部が凸設され、該挟持部が滑り溝を通り固定フレームに固定され、且つ該係止凸点が滑り溝の孔に組み合わされてカッタ変換動作完成の係止点とされることを特徴とする、カッティングツールとしている。
請求項８の考案は、請求項１又は請求項４記載のカッティングツールにおいて、固定フレームが二つの同じ形状のケースが組み合わされてなり、このケースの一側にツールセットを内部に収容する少なくとも二つの縦向き溝が設けられてツールセットの縦向き移動のチャネルを提供し、もう一側に二層の対応するガイドブロックが凸設されて主体の下段に設けられた軌道に組み合わされてツールセットを左右に平穏に横移動させることを特徴とする、カッティングツールとしている。
請求項９の考案は、請求項１のカッティングツールにおいて、ツールセットが回転ツールセットと固定ツールセットを具えたことを特徴とする、カッティングツールとしている。
請求項１０の考案は、請求項１のカッティングツールにおいて、ツールセットが回転ツールセットと二つの固定ツールセットを具えたことを特徴とする、カッティングツールとしている。
請求項１１の考案は、請求項１０のカッティングツールにおいて、回転ツールセットが二つの側板を具え、そのうち一つの側板に二つの穿孔が設けられ、もう一組の側板に対応する凸柱が設けられ、そのうち下方の凸柱に軸輪が嵌合され、該軸輪がカッタの中央穿孔に固定されて一体とされ、下方の凸柱を軸心としてカッタが主体のスライドに伴い回転することを特徴とする、カッティングツールとしている。
請求項１２の考案は、請求項１０のカッティングツールにおいて、回転ツールセットに円弧カッタが組みつけられたことを特徴とする、カッティングツールとしている。
請求項１３の考案は、請求項１０のカッティングツールにおいて、固定ツールセットの側辺に凹部が設けられ、該凹部中に凸柱が凸設さされ、それに接続されるカッタに穿孔が設けられて該凸柱に係合され、並びに該凹部の形状に対応する押し片が利用されカッタが凹部中に固定されたことを特徴とする、カッティングツールとしている。
請求項１４の考案は、請求項１３のカッティングツールにおいて、固定ツールセットに切削カッタ或いはプレス痕片が組みつけられたことを特徴とする、カッティングツールとしている。
請求項１５の考案は、請求項１のカッティングツールにおいて、片状物が紙とされたことを特徴とする、カッティングツールとしている。
【考案の効果】
【００１２】
本考案の提供するカッティングツールは、多用の裁断モードを有するカッタ切り換え機能を具え、使用者は簡単な押動によりカッタ変換の目的を達成でき、且つウインドウの設計により随時カッタの種類を掌握でき、周知のカッティングツールが単一裁断機能しか具備しなかった欠点、或いは随時施力しなければならず使用に不便であった欠点を解決し、且つ本考案はこれまでない考案であって、産業上の利用価値を具え、実用新案登録の要件を満たしている。
【考案を実施するための最良の形態】
【００１３】
図２は本考案のカッティングツールがカッティングプラットフォームに結合された外観図である。本考案のカッティングツール２０はカッティングプラットフォーム３０の上に設置され、該カッティングプラットフォーム３０は開放空間を呈する担体とされ、それにカッティングツール２０の作動経路を有する中空溝３１が設けられ、該中空溝３１の両側に押し板３２が設けられて裁断する片状物４０を制圧するのに供される。該片状物４０はカッティングプラットフォーム３０上に置かれ並びに押し板３２に制圧され、カッティングツール２０が作動して中空溝３１中をスライドし該片状物４０を二つに裁断する。
【００１４】
前述のカッティングツール２０は図３に示されるように主体５０を具え、該主体５０は二つの同じ形状のケースが組み合わされてなり、該主体５０に上段５１と下段５２の二つの部分が設けられ、該上段５１の幅は下段５２の幅より狭く、該上段５１内に円弧角を具えた圧接部５１１が設けられ、所定の位置に滑り溝５１２が設けられている。該下段５２の底部にカッタ出入孔５２１が設けられ、並びに該カッタ出入孔５２１に接近する両側に軌道５２２が凸設され、並びに底面に嵌止部５２３が設けられてカッティングプラットフォーム３０の中空溝３１との結合に用いられる。
【００１５】
このほか、該上段５１の上端面の各カッタに対応する位置に、該カッタ形状に対応するマーク５１３（図６参照）が印刷されている。該滑り溝５１２の各カッタに対応する位置に孔５１４が凸設されて、カッタ変換の係止点とされる。
【００１６】
本考案のカッティングツール２０は更に置換部６０を具え、それは二つの同じ形状のケースで構成されて主体５０の上段５１外側に組みつけられ、その上端に開口６１が設けられ、底端に挟持部６２が凸設され、該挟持部６２に係止凸点６２１が凸設され、該係止凸点６２１は滑り溝５１２の孔６１４に組み合わされてカッタ変換動作完成の係止点とされる。前述の開口６１は二つのケースが組み合わされた後にウインドウを構成し、該ウインドウより選択したカッタのパターン５１３を観ることができる。
【００１７】
本考案は更に固定フレーム７０を具え、それは二つの同じ形状のケースが組み合わされてなり、並びにツールセットを主体５０内にあって被覆固定し、該固定フレーム７０の一側に少なくとも二つの縦向き溝７１が設けられ、並びに縦向き溝７１を区画する隔板７２の所定位置に係止孔７３が設けられて前述の挟持部６２を係止して連動関係を形成する。前述の各縦向き溝７１はツールセットを内部に収容し、ツールセットの縦向き移動のチャネルを提供し、もう一側に二層の対応するガイドブロック７４が設けられ、該ガイドブロック７４は主体５０に設けられた軌道５２２に組み合わされてツールセットを左右に平穏に横向き移動させる。
【００１８】
常用されるカッティングモードは、片状物４０を二つに裁断する切削モード、片状物４０に手で切り取れる裁断線を形成するモード、及び片状物４０にプレス痕を形成するモード等、数種類があり、本考案の好ましい実施例では、前述の常用カッティングモードに対して三種類の異なるツールセットが設けられている。そのうち、一つのツールセットに切断円弧を形成するためのカッタが組みつけられ、もう一つのツールセットにはプレス痕を形成するための押し片が組みつけられ、別のツールセットには切削用の鋭利なカッタが組みつけられている。カッティングツール２０はカッティングプラットフォーム３０上で直線のスライドを形成して片状物４０を裁断し、手で切り取るための切り取り線は片状物上に一定の間隔、長さのカッタ痕を形成し、好ましい方式は回転の方式により形成する。これにより、本考案は少なくとも回転ツールセット８０と固定ツールセット９０を具えている。
【００１９】
前述の回転ツールセット８０は二つの側板８１、８２を具え、そのうち、一つの側板８１に二つの穿孔８１１、８１２が設けられ、もう一組の側板８２にそれに対応する凸柱８２１、８２２が設けられ、下方の凸柱８２２に軸輪８２３が嵌合され、該軸輪８２３が円弧カッタ８２４の中央穿孔に固定されて一体とされ、下方の凸柱８２２を軸として、円弧カッタ８２４が片状物４０上で回転し点線のようなカッタ痕を形成する。
【００２０】
前述の固定ツールセット９０の側辺に凹部９１が設けられ、該凹部９１中に凸柱９２が凸設され、それに接続されるカッタに穿孔が設けられて、該凸柱９２に係止され、並びに該凹部９１形状に対応する押し片９３を利用し、カッタが該凹部中に固定される。
【００２１】
本考案の好ましい実施例は、回転ツールセット８０と二つの固定ツールセット９０を具え、該回転ツールセット８０に円弧カッタ８２４が組みつけられ、固定ツールセット９０にそれぞれ切削カッタ９４とプレス痕片９５が組みつけられる。
【００２２】
前述の回転ツールセット８０及び固定ツールセット９０の上端に縦向き溝７１より大きく且つ円弧状辺縁を具えたキャップ縁８２５、９６が凸設され、並びにバネ８２６、９７がキャップ縁８２５、９６の下方に嵌合される。
【００２３】
前述の各ツールセット８０、９０は固定フレーム７０の縦向き溝７１中に置かれ、嵌合されるバネ８２６、９７が固定フレーム７０の上端と該キャップ縁８２５、９６の間に位置してツールセット８０、９０の縦向き溝７１中での回復力を提供する。該固定フレーム７０のガイドブロック７４は主体５０の軌道５２２両側に挿入され、軌道５２２を移動経路とする。該固定フレーム７０は主体５０内部に固定され、前述の置換部６０の挟持部６２が主体５０の外側より上段５１の滑り溝５１２を通過して固定フレーム７０の係止孔７３中に係合し、これにより置換部６０及び固定フレーム７０が連動状態を形成し、該主体５０の二つのケースが結合されて封じられて一体とされ、こうして完全なカッティングツール２０が構成される。
【００２４】
カッタの変換は置換部６０を押動することで達成され、ツールセットが別のツールセットに変換される過程で、図４、５に示されるように、回転ツールセット８０が固定ツールセット９０に変換され、置換部６０が回転ツールセット８０の上端を圧接部５１１の制圧より離脱させ、及び係止凸点６２１を滑り溝５１２の孔５１４より離脱させ、該バネ８２６は回復力により回転ツールセット８０の移動により徐々に伸張し、回転ツールセット８０を縦向き溝７１中で上向きにスライドさせ、円弧カッタ８２４をカッタ出入孔５２１より固定フレーム７０内に収納し、これと同時に、固定ツールセット９０のキャップ縁９６が圧接部５１１の辺縁に接触してバネ９７が制圧を受け、固定ツールセット９０が縦向き溝７１中で下向きにスライドし、載置する切削カッタ９４（或いはプレス痕片９５）が徐々に主体５０のカッタ出入孔５２１より露出し、係止凸点６２１が滑り溝５１２の孔５１４に進入し、圧接部５１１が固定ツールセット９０の上端に圧接し、この時、該固定ツールセット９０が圧接部５１１の制圧を受け及びバネ９７が圧迫を受けて発生する回復力により固定され、従来のように裁断過程中に続けて圧力を加えてカッタの露出状態を維持する必要がない。
【００２５】
変換完成後、置換部６０の開口６１が構成するウインドウは置換部６０の移動により位置を変換し、現在のツール形式を代表するマーク５１３がウインドウの位置に対応する。言い換えると、ウインドウの表示するマーク５１３は圧接部５１１の制圧を受けて外部に露出するカッタを代表する符号であり、使用者はウインドウを通してカッタの様式を随時把握することができる。
【図面の簡単な説明】
【００２６】
【図１】周知のカッティング装置の構造図である。
【図２】本考案のカッティングツールがカッティングプラットフォームに結合された外観図である。
【図３】本考案のカッティングツールの構造分解図である。
【図４】本考案のカッティングツールの断面図である。
【図５】本考案の異なるカッタへの変換の断面図である。
【図６】本考案のカッティングツールの各側面図である。
【符号の説明】
【００２７】
１０  カッティング装置        １５  ねじりバネ
１１  ロータ                  ２０  カッティングツール
１１１  傾斜構造              ３０  カッティングプラットフォーム
１１２  第２傾斜構造          ３１  中空溝
１１３  第３傾斜構造          ３２  押し板
１２  カッタ                  ４０  片状物
１３  第２カッタ              ５０  主体
１３１  弾性片構造            ５１  上段
１４  第３カッタ              ５１１  圧接部
１４１  弾性片構造            ５１２  滑り溝
５１３  マーク                ８１１  穿孔
５１４  孔                    ８１２  穿孔
５２  下段                    ８２  側板
５２１  カッタ出入孔          ８２１  凸柱
５２２  軌道                  ８２２  凸柱
５２３  嵌止部                ８２３  軸輪
６０  置換部                  ８２４  円弧カッタ
６１  開口                    ８２５  キャップ縁
６２  挟持部                  ８２６  バネ
６２１  係止凸点              ９０  ツールセット
７０  固定フレーム            ９１  凹部
７２  隔板                    ９３  押し片
７３  係止孔                  ９４  切削カッタ
７４  ガイドブロック          ９５  プレス痕片
８０  ツールセット            ９６  キャップ縁
８１  側板                    ９７  バネ
【図１】
0003111448.tif 000003
【図２】
0003111448.tif 000004
【図３】
0003111448.tif 000005
【図４】
0003111448.tif 000006
【図５】
0003111448.tif 000007
【図６】
0003111448.tif 000008